(57)【要約】【課題】磁気テープの早送りまたは巻戻しの時間を短縮するために磁気テープの走行速度を上げる場合、回転ヘッドドラムや走行ポストによる走行負荷、及び磁気テープへのダメージの問題があり、走行速度を上げにくかった。【解決手段】早送り／巻戻し動作において、磁気テープ１３を回転ヘッドドラム１に巻き付けた状態の第１の巻き取りモードと、巻き付けない第２の巻き取りモードを設けるとともに、第２の巻き取りモード時における磁気テープ１３の走行速度を、第１の巻き取りモード時における走行速度より大とする。これらを、モード移行手段３、メカニズム制御手段４、テープ駆動手段５およびテープ速度制御手段６の連携動作により実現する。【選択図】　図１
2004005863.tif 000002
【特許請求の範囲】
【請求項１】
磁気テープを巻き付けた回転ヘッドドラムにより信号の記録または再生を行う磁気記録再生装置であって、
前記磁気テープを前記回転ヘッドドラムに所定の角度巻き付けるテープ引き出し手段と、
少なくとも早送りまたは巻戻し動作において、前記磁気テープを前記回転ヘッドドラムに巻き付けた第１の巻き取りモードまたは巻き付けない第２の巻き取りモードのいずれかの状態に前記テープ引き出し手段を移行させるモード移行手段と、
前記第１または第２の巻き取りモードにおいて、前記磁気テープの早送りまたは巻戻しを行うテープ駆動手段とを備え、
前記テープ駆動手段による前記磁気テープの移送速度は、第１の巻き取りモード時より第２の巻き取りモード時を大とする磁気記録再生装置。
【発明の詳細な説明】
【０００１】
【発明の属する技術分野】
本発明は、カセットから磁気テープを引き出して回転ヘッドドラムに巻き付け、回転ヘッドドラムに搭載された磁気ヘッドにより信号を記録または再生するビデオカセットテープレコーダ等の磁気記録再生装置に関するものである。
【０００２】
【従来の技術】
近年、種々の記録再生媒体が用いられる中、ディスクは、アクセス速度が有利なことから、その利用が拡大している。一方、記録容量の点で優位な磁気テープについては、磁気テープを移送するモータの回転速度を高速にすることで磁気テープの巻き取り走行速度を高速にして早送りや巻戻しの時間を短縮して、その利便性を改善することが求められている。以下に、磁気テープを記録媒体とする従来の磁気記録再生装置について説明する。
【０００３】
図４は、従来の磁気記録再生装置の構成を示すブロック図である。同図は、早送り／巻戻し動作時に要する構成を示すものである。
【０００４】
図４において、１３は磁気テープ、１６は磁気テープ１３を収納するカセット、１は搭載された磁気ヘッド（図示せず）により磁気テープ１３に映像や音声の信号を記録または再生する回転ヘッドドラム、２は磁気テープ１３をカセット１６から引き出して磁気テープ１３の走行時に回転ヘッドドラム１に対する磁気テープ１３の高さ方向の規制をするテープガイドである。５はキャプスタンモータからなるテープ駆動手段、１８はテープ駆動手段５の回転数を制御するテープ速度制御手段、７は磁気テープ１３の一端が巻かれたカセット１６内の巻取側リールハブを拘持してテープ駆動手段５の回転がベルトや歯車により伝達され回転することで磁気テープ１３を走行させる巻取側リール、８は磁気テープ１３の他端が巻かれたカセット１６内の供給側リールハブを拘持して巻取側リール７の回転により磁気テープ１３が走行する時に巻取側リール７に磁気テープ１３を供給する供給側リールである。１７は早送り／巻戻しの操作を行い、その操作指示をテープ速度制御手段１８に与える操作手段である。
【０００５】
以上のように構成された従来の磁気記録再生装置について、その早送り／巻戻し動作を、図４を用いて説明する。まず、早送り／巻戻し動作は、メカニズムのモードとして、テープガイド２により磁気テープ１３を回転ヘッドドラム１に巻き付けた早送り／巻戻しモードで行い、記録／再生状態から早送り／巻戻しを行う場合は、メカニズムのモードを記録／再生モードから早送り／巻戻しモードへと移行した後に行う。記録／再生モードと早送り／巻戻しモードにおいては共に磁気テープ１３はカセット１６からテープガイド２によって引き出され、図示するように所定の角度で回転ヘッドドラム１に巻き付けられた状態で、テープガイド２で高さ方向を規制されて走行する。早送り／巻戻し中、テープ駆動手段５はテープ速度制御手段１８で制御されながら高速で回転し、その回転がベルトや歯車により巻取側リール７に伝達され、巻取側リール７が回転して磁気テープ１３を供給側リール８から巻き取る。その際の磁気テープ１３の走行速度は、例えば８ｍ／ｓである。
【０００６】
以上のようなメカニズムのモード構成の場合、記録／再生モードから早送り／巻戻しモードへの移行は、テープガイド２を動かす必要がないため、速やかに行うことができ、よって、記録／再生動作と早送り／巻戻し動作との間の切り換えを早く行えるという利点がある。
【０００７】
【発明が解決しようとする課題】
しかしながら上記の従来の構成では、早送り／巻戻し時間の更なる短縮化を図るために、テープ駆動手段５の回転数を更に大きくして、巻取側リール７へ伝達する回転数を大きくした場合、磁気テープ１３を回転ヘッドドラム１に巻き付けて走行させているため、磁気テープ１３の走行負荷が大きくなり、磁気テープ１３の走行速度が上がりにくく、また、磁気テープ１３の走行速度が上がると、回転ヘッドドラム１に巻き付けている部分やテープガイド２で高さ規制されている部分で磁気テープ１３にかかる負担が増えて、磁気テープ１３や磁気ヘッドの損傷につながるという問題点を有していた。
【０００８】
本発明は上記従来の問題点を解決するもので、磁気テープの走行負荷を小さくする巻取モードを設けて、磁気テープや磁気ヘッドに負担をかけることなく早送り／巻戻し時間を短縮できる磁気記録再生装置を提供することを目的とする。
【０００９】
【課題を解決するための手段】
この目的を達成するために本発明の磁気記録再生装置は、磁気テープを巻き付けた回転ヘッドドラムにより信号の記録または再生を行う装置であって、磁気テープを回転ヘッドドラムに所定の角度巻き付けるテープ引き出し手段と、少なくとも早送り／巻戻し動作において、磁気テープを回転ヘッドドラムに巻き付けた第１の巻き取りモードまたは巻き付けない第２の巻き取りモードのいずれかの状態にテープ引き出し手段を移行させるモード移行手段と、第１または第２の巻き取りモードにおいて、磁気テープの早送り／巻戻しを行うテープ駆動手段とを備え、テープ駆動手段による磁気テープの移送速度は、第１の巻き取りモード時より第２の巻き取りモード時を大とするものである。
【００１０】
この構成によって、磁気テープの走行負荷を小さくする第２の巻き取りモードを設けて磁気テープの移送速度を上げることができ、磁気テープや磁気ヘッドに負担をかけずに早送り／巻戻し時間を短縮できる。
【００１１】
【発明の実施の形態】
本発明は、磁気テープを巻き付けた回転ヘッドドラムにより信号の記録または再生を行う磁気記録再生装置であって、前記磁気テープを前記回転ヘッドドラムに所定の角度巻き付けるテープ引き出し手段と、少なくとも早送りまたは巻戻し動作において、前記磁気テープを前記回転ヘッドドラムに巻き付けた第１の巻き取りモードまたは巻き付けない第２の巻き取りモードのいずれかの状態に前記テープ引き出し手段を移行させるモード移行手段と、前記第１または第２の巻き取りモードにおいて、前記磁気テープの早送りまたは巻戻しを行うテープ駆動手段とを備え、前記テープ駆動手段による前記磁気テープの巻戻しの速度は、第１の巻き取りモード時より第２の巻き取りモード時を大とするものである。
【００１２】
これにより、記録／再生モードと早送り／巻戻しモード間の移行の速さを重視し、低速で早送り／巻戻しを行う用途の場合は、第１の巻取モードを使用し、高速で早送り／巻戻しを行う用途の場合は、第２の巻取モードを使用することにより、磁気テープの走行負荷を小さくでき、磁気テープの走行速度は容易に上がるため早送り／巻戻し時間を短縮化でき、且つ、磁気テープと磁気ヘッドへの負担も小さくできるという作用を有する。
【００１３】
以下、本発明の実施の形態について、図面を用いて説明する。
【００１４】
（実施の形態１）
図１は、本発明の実施の形態１による磁気記録再生装置の構成を示すブロック図である。同図に示す本実施の形態においては、磁気記録再生装置の早送りまたは巻戻し動作時に要する構成を示すものである。また、同図において、従来と同一の構成要素には同一符号を付し、その説明は省略する。
【００１５】
図１において、３は早送り／巻戻し動作においてメカニズムのモード移行を行わせるモード移行手段、４は操作手段１７からの操作指令に基づきモード移行手段３を制御するメカニズム制御手段、６は操作手段１７からの操作指令に基づきテープ駆動手段５の回転速度を制御するテープ速度制御手段、９は磁気テープ１３で記録再生する信号の位相を合わせるため及び磁気テープ１３の位置をカウンタ表示するために用いられるコントロール信号を磁気テープ１３に記録／検出を行うコントロールヘッドである。
【００１６】
本実施の形態では、磁気テープ１３を早送り／巻戻しするメカニズムのモードとして、磁気テープ１３の走行経路の違う第１の巻取モードと第２の巻取モードの２つが設定されている。図２は本実施の形態における第１の巻き取りモード時における磁気記録再生装置の平面図、図３は第２の巻き取りモード時における同磁気記録再生装置の平面図である。図２、３において、１０はメカニズムのシャーシ、１１はシャーシ１０上に設けられたテープ引き出し手段としてのテープガイド２をスライドさせるために用いるテープガイドスライド溝、１２は磁気テープ１３に記録された映像及び音声信号を消去する消去ヘッド、１３は磁気テープ、１４はカセット内の巻取側リールハブ、１５はカセット内の供給側リールハブ、１６はカセットである。図２，３は巻戻し状態を示しており、早送り状態の場合は、巻取側リールハブ１４と供給側リールハブ１５の動作は入れ替わる。即ち、本発明では、早送りと巻戻しは、磁気テープ１３の走行方向が異なるだけであり、早送りと巻戻しのどちらであっても、本発明の本質には、何ら影響がないことは言うまでもない。
【００１７】
以上のように構成された磁気記録再生装置について、図１から図３を用いて、その早送り／巻戻し動作を説明する。まず、第１の巻取モードは、モード移行手段３によって動かされるテープ引出し手段としてのテープガイド２によりカセット１６から磁気テープ１３を引き出して、回転ヘッドドラム１に所定の角度巻き付けるとともにコントロールヘッド９に当接させ、テープガイド２により高さ方向を規制された位置で、キャプスタンモータからなるテープ駆動手段５とテープ駆動手段５の回転を巻取側リール７に伝達するベルトや歯車などの要素とカセット１６内の巻取側リールハブ１４を拘持する巻取側リール７と供給側リールハブ１５を拘持する供給側リール８とで磁気テープ１３を駆動して早送り／巻戻しを行うモードである。
【００１８】
第１の巻取モードと録画／再生モードは、テープガイド２の位置は同じであり、録画／再生状態と早送り／巻戻し状態との間の動作切り換えの速さを重視する場合、あるいは早送り／巻戻し中に磁気テープ１３のコントロール信号をコントロールヘッド９で検出して磁気テープ１３の位置をカウンタ表示で確認することを重視する場合（コントロールヘッド９を用いたい場合）に用いる。
【００１９】
一方、第２の巻取モードは、磁気テープ１３をカセット１６から引き出さずにテープガイド２は磁気テープ１３に当接しない位置でテープ駆動手段５によって早送り／巻戻しを行うモードである。磁気テープ１３は回転ヘッドドラム１やコントロールヘッド９に当接して走行しないため走行負荷が小さく、磁気テープ１３の走行速度を容易に高速化でき、主に高速で早送り／巻戻しすることを重視する場合に用いる。
【００２０】
第１の巻取モードと第２の巻取モード間とのメカニズムのモードの移行は、マイクロコンピューター（図示せず）内に構成されるメカニズム制御手段４でモード移行手段３を動かす（制御する）指令を出して、モード移行手段３が動き、テープガイド２を移動させることで行われる。
【００２１】
また、操作手段１７からの操作は、例えば、少なくとも、通常の早送り／巻戻しの指示（第１の巻き取りモード）と、高速の早送り／巻戻しの指示（第２の巻き取りモード）のいずれかを出力可能とすることで、この２つの指令によりメカニズム制御手段４でモード移行手段３を制御し、かつ、この２つの指令により、テープ速度制御手段６は、テープ駆動手段５を制御し、第１の巻き取りモード時より第２の巻き取りモード時の磁気テープ１３の移送速度を大にする。その速度としては、例えば、第１の巻き取りモードの時は８ｍ／ｓ、第２の巻き取りモードの時は、１０ｍ／ｓとする。ここで、８ｍ／ｓと１０ｍ／ｓでは、あまり差がないように思えるが、この速度は、制御目標速度であるので、その速度に達するまでの時間やその速度から減速して停止するまでの時間を考慮すると、その差は、十分体感できるものとなる。
【００２２】
従って、第１の巻き取りモード時は、速やかに記録／再生モードから早送り／巻戻しモードに移行し、第２の巻き取りモード時は、磁気テープ１３に対するダメージが少なくなる様に、テープ引き出し手段としてのテープガイド２を移動してから高速の巻戻しモードに移行する。
【００２３】
以上のように本実施の形態１によれば、早送り／巻戻しのできるメカニズムのモードとして、磁気テープ１３を回転ヘッドドラム１に所定の角度巻き付け、コントロールヘッド９に当接させて早送り／巻戻しする第１の巻取モードと、磁気テープ１３をカセット１６から引き出さない位置で早送り／巻戻しする第２の巻取モードを設けることにより、記録／再生モードと早送り／巻戻しモード間の移行の速さを重視し、コントロール信号を検出して磁気テープ１３の位置をカウンタ表示して早送り／巻戻しを行う用途の場合は第１の巻取モードを使用し、高速で早送り／巻戻しを行う用途の場合は、第２の巻取モードを使用することにより、磁気テープ１３の走行負荷を小さくでき、磁気テープ１３の走行速度を容易に上げることができ、早送り／巻戻し時間を短縮化し、且つ、磁気テープ１３と磁気ヘッドへの負担も小さくできる。
【００２４】
なお、以上の説明では、第２の巻取モードとして磁気テープ１３をカセット１６から引き出さない状態としたが、回転ヘッドドラム１とコントロールヘッド９には当接しないがカセット１６からはテープガイド２で引き出した状態、つまりテープガイド２をテープガイドスライド溝１１の回転ヘッドドラム１側とカセット側の中間付近まで引き出した状態を第２の巻取モードとしてもよい。また、磁気テープ１３を回転ヘッドドラム１には巻き付けないがコントロールヘッド９には当接する状態を第２の巻取モードとしてもよい。
【００２５】
【発明の効果】
以上のように本発明は、磁気テープを回転ヘッドドラムに巻き付けて磁気テープを巻戻す第１の巻取モードの他に磁気テープを回転ヘッドドラムに巻き付けないで巻戻す第２の巻取モードを設け、第２の巻き取りモードでの磁気テープ移送速度を第１の巻き取りモードより大とすることにより、磁気テープの走行負荷は小さくなるため、早送り／巻戻し時間を短縮化でき、且つ、磁気テープと磁気ヘッドへの負担も小さくなり損傷を防止できるという優れた効果が得られる。
【図面の簡単な説明】
【図１】本発明の実施の形態１による磁気記録再生装置の構成を示すブロック図
【図２】同磁気記録再生装置の第１の巻取モードにおける平面図
【図３】同磁気記録再生装置の第２の巻取モードにおける平面図
【図４】従来の磁気記録再生装置の構成を示すブロック図
【符号の説明】
１　回転ヘッドドラム
２　テープガイド
３　モード移行手段
４　メカニズム制御手段
５　テープ駆動手段
６　テープ速度制御手段
７　巻取側リール
８　供給側リール
９　コントロールヘッド
１０　シャーシ
１１　テープガイドスライド溝
１２　消去ヘッド
１３　磁気テープ
１４　巻取側リールハブ
１５　供給側リールハブ
１６　カセット
１７　操作手段
【図１】
2004005863.tif 000003
【図２】
2004005863.tif 000004
【図３】
2004005863.tif 000005
【図４】
2004005863.tif 000006